(57)【要約】【課題】乗員に適したリフレッシュプログラムを提供することにより車室内をリフレッシュのための空間として活用し、車室内における時間の有効活用を促進することができる車室内リフレッシュシステムを得ることを目的とする。【解決手段】制御部４８は、行動履歴を取得し、カメラ１４により読み取られた乗員の現在の身体情報と、取得した行動履歴との少なくとも一方に基づいて乗員の現在の状況を推定し、現在の状況を改善するリフレッシュプログラムを作成する。プログラム提供部１６はリフレッシュプログラムを車室内で提供する。【選択図】図２
2020029108.tif 000002
【特許請求の範囲】
【請求項１】
車両に乗車した乗員の現在の身体情報を読み取る身体情報読取部と、
乗員の行動履歴を取得する行動履歴取得部と、
前記身体情報及び前記行動履歴の少なくとも一方に基づいて、前記乗員の現在の状況を推定し、前記現在の状況を改善するリフレッシュプログラムを作成するプログラム作成部と、
前記リフレッシュプログラムを車室内で提供するプログラム提供部と、
を備えた車室内リフレッシュシステム。
【発明の詳細な説明】
【技術分野】
【０００１】
本発明は、車室内リフレッシュシステムに関する。
【背景技術】
【０００２】
下記特許文献１には、車両の移動予定経路の交通状況を取得し、その移動予定経路を走行させることで乗員の目が疲労する度合いを表す経路疲労度が規定閾値以上である場合に加湿器を動作させることが記載されている。運転者の目が乾燥する前に加湿器を作動させて、目の乾燥による視機能の低下を防止するというものである。
【先行技術文献】
【特許文献】
【０００３】
【特許文献１】特開２０１７−００１６５０号公報
【発明の概要】
【発明が解決しようとする課題】
【０００４】
ところで、自動運転車の導入により、運転者を含む乗員の車室内における活動の自由度が増すことが予想される。このため、上記特許文献１のように運転者の視機能の低下を防止して運行の安全性を向上させるだけでなく、車室内での時間の有効活用が望まれる。例えば、女性の社会進出に伴い美容や運動にかける時間が不足する懸念があることから、車室内での時間の有効活用の一つとして、美容や運動などの身体のリフレッシュを促進するシステムが要望される。
【０００５】
本発明は上記事実を考慮し、乗員に適したリフレッシュプログラムを提供することにより車室内をリフレッシュのための空間として活用し、車室内における時間の有効活用を促進することができる車室内リフレッシュシステムを得ることを目的とする。
【課題を解決するための手段】
【０００６】
請求項１に記載の車室内リフレッシュシステムは、車両に乗車した乗員の現在の身体情報を読み取る身体情報読取部と、乗員の行動履歴を取得する行動履歴取得部と、前記身体情報及び前記行動履歴の少なくとも一方に基づいて、前記乗員の現在の状況を推定し、前記現在の状況を改善するリフレッシュプログラムを作成するプログラム作成部と、前記リフレッシュプログラムを車室内で提供するプログラム提供部と、を備える。
【０００７】
請求項１に記載の車室内リフレッシュシステムでは、身体情報読取部により、車両に乗車した乗員の現在の身体情報が読み取られる。また、行動履歴取得部により、乗員の行動履歴が取得される。プログラム作成部では、乗員の現在の身体情報及び行動履歴の少なくとも一方に基づいて乗員の現在の状況が推定されると共に、現在の状況を改善するリフレッシュプログラムが作成され、このリフレッシュプログラムがプログラム提供部により車室内で提供される。
【０００８】
乗員の現在の身体情報及び行動履歴の少なくとも一方に基づいて乗員の現在の状況が推定され、現在の状況を改善するリフレッシュプログラムが作成されるので、乗員の現在の状況を把握した上で乗員に適したリフレッシュプログラムを提供することができる。結果として、車室内をリフレッシュのための空間として活用し、車室内での時間の有効活用を促進することができる。
【発明の効果】
【０００９】
以上説明したように、請求項１に記載の車室内リフレッシュシステムは、乗員に適したリフレッシュプログラムを提供することにより車室内をリフレッシュのための空間として活用し、車室内における時間の有効活用を促進することができる、という優れた効果を有する。
【図面の簡単な説明】
【００１０】
【図１】本実施形態に係る車室内リフレッシュシステムを搭載した車両の概略構成を示す側面図である。
【図２】本実施形態に係る車室内リフレッシュシステムの構成を示すブロック図である。
【図３】図１に示されるマッサージ／エクササイズシートの一部を構成する顔マッサージ装置を正面から示す図である。
【図４】図２に示される制御部で行われるリフレッシュプログラム提供処理の一例を示すフローチャートである。
【図５】本実施形態の変形例に係る車室内リフレッシュシステムを搭載した車両の概略構成を示す側面図である。
【発明を実施するための形態】
【００１１】
以下、図１〜図４を用いて、本発明の実施形態について説明する。
【００１２】
図１には、本実施形態に係る車室内リフレッシュシステム１０を搭載した車両１２を車両左側から見た側面図が示されている。この図に示されるように、車両１２は、車室内リフレッシュシステム１０を構成する身体情報読取部としてのカメラ１４と、プログラム提供部１６と、を含んで構成されている。プログラム提供部１６は、アロマ加湿装置１８、臭い除去／有害物質除去装置２０、マッサージ／エクササイズシート２２、オーディオ２４（図２参照）、及び表示部２６を備えている。
【００１３】
カメラ１４は、シートに着座した乗員の主として顔の画像を撮影可能な車室内の天井等に設けられ、乗員を撮影する。カメラ１４により撮影された画像には、乗員の肌状態、顔色、表情等の現在の身体情報が含まれている。また、カメラ１４による撮影画像は、乗員を特定するための後述する個人認証にも使用される。
【００１４】
アロマ加湿装置１８は、インストルメントパネル２８内に設けられ、アロマ発生部１８Ａと、加湿部１８Ｂとを備えている。アロマ発生部１８Ａは、アロマオイルを揮発させることにより香り（アロマ）を拡散させる。加湿部１８Ｂは、図示しないタンク内の水を超音波等で霧状の水滴とするか、又はヒーター等により蒸気として車室側に噴霧する。図示しない吹き出し口がインストルメントパネル２８に設けられ、加湿部１８Ｂにより生成される水滴又は蒸気がアロマ発生部１８Ａにより生成されるアロマと共にこの吹き出し口を通して車室内に供給される。また、加湿部１８Ｂには、タンクに水を補給するための図示しない給水口が設けられている。アロマ発生部１８Ａには、アロマオイルを補給するための図示しない補給口が設けられている。なお、アロマオイルを交換可能なシートに吸収させて供給してもよい。また、加湿部１８Ｂとアロマ発生部１８Ａとを一体に構成してもよい。
【００１５】
臭い除去／有害物質除去装置２０は、インストルメントパネル２８内に設けられ、活性炭、光触媒等を利用して臭いを除去すると共に、例えばＰＭ２．５などの微粒子や花粉などのアレルゲン等の有害物質を除去する。インストルメントパネル２８には、臭い除去／有害物質除去装置２０のための図示しない吸気口及び吹き出し口が設けられている。
【００１６】
マッサージ／エクササイズシート２２は、本実施形態では運転席を構成するシートであり、乗員が着座するシートクッション３０と、乗員の背部を支えるシートバック３２と、シートバック３２の上端部に配置され乗員頭部を支持するヘッドレスト３４と、を含んで構成されている。
【００１７】
シートクッション３０は、乗員が着座した状態で可動とされ、体幹トレーニングや骨盤トレーニング等のためのいわゆるエクササイズシートとして機能する。
【００１８】
シートバック３２は、その一部が可動に構成され、乗員の身体をマッサージする。
【００１９】
また、図３に示されるように、ヘッドレスト３４の車幅方向両端には、顔マッサージ装置３６が設けられている。顔マッサージ装置３６は、一対のヘッドレストサイドサポート３８と、ヘッドレストサイドサポート３８の内部に設けられた振動子４０とを含んで構成され、乗員の顔を両側からマッサージする。
【００２０】
図１に戻ると、表示部２６は、例えば車室内のセンターコンソール部分等に設けられ、シートに着座した乗員が表示を視認可能な位置に設けられている。表示部２６は、車室内リフレッシュシステム１０により提供されるリフレッシュプログラムの一部を構成するメイクアドバイス（化粧に関するアドバイス）を表示する。また、表示部２６は、リフレッシュプログラムの所要時間、後述するリフレッシュプログラム実行後の効果予測、リフレッシュプログラム実行前と実行後の比較結果等を表示する。表示部２６は、図示しないスイッチやタッチパネル等により入力操作可能に構成されている。
【００２１】
次に、図２を参照して、本実施形態に係る車室内リフレッシュシステム１０の構成を説明する。この図に示されるように、車室内リフレッシュシステム１０は、制御装置４２と、カメラ１４と、外部装置との通信を行う際に用いられる通信部４４と、プログラム提供部１６と、を備えている。制御装置４２、カメラ１４、通信部４４、及びプログラム提供部１６は、それぞれ車内ネットワーク４６に接続されている。
【００２２】
制御装置４２は、ＣＰＵ（Ｃｅｎｔｒａｌ  Ｐｒｏｃｅｓｓｉｎｇ  Ｕｎｉｔ）である制御部４８と、ＲＯＭ（Ｒｅａｄ  Ｏｎｌｙ  Ｍｅｍｏｒｙ）５０と、ＲＡＭ（Ｒａｎｄｏｍ  Ａｃｃｅｓｓ  Ｍｅｍｏｒｙ）５２と、ストレージ５４と、を備えている。ＲＯＭ５０又はストレージ５４には、車室内リフレッシュシステム１０における後述するリフレッシュプログラム提供処理を実行するための制御プログラムが記憶されている。本実施形態では、制御部４８が制御プログラムをＲＯＭ５０又はストレージ５４から読み出して実行することによってリフレッシュプログラム提供処理が実行される。
【００２３】
制御部４８は、行動履歴取得部として、乗員が所持する図示しないスマートフォン、ウエアラブル端末等の携帯端末と通信部４４を介して無線通信を行うことによって、乗員の行動履歴を取得する。また、自車両の図示しないナビゲーション装置から移動経路を行動履歴として取得してもよい。
【００２４】
制御部４８は、プログラム作成部として、カメラ１４により撮影された乗員の画像や図示しない乗員の携帯端末により取得された乗員の現在の心拍数等の現在の身体情報と、上述の行動履歴との少なくとも一方に基づいて、乗員の現在の状況を推定する。この推定結果に基づいて、乗員の現在の状況を改善するリフレッシュプログラムを作成する。
【００２５】
制御部４８はまた、リフレッシュプログラムを提供するようプログラム提供部１６を制御する。
【００２６】
プログラム提供部１６は、アロマ加湿装置１８と、臭い除去／有害物質除去装置２０と、顔マッサージ装置３６を含むマッサージ／エクササイズシート２２と、オーディオ２４と、表示部２６と、を備えている。プログラム提供部１６の各装置は、制御部４８に制御されて作動し、乗員に対してリフレッシュプログラムを提供する。
【００２７】
次に、本実施形態に係る車室内リフレッシュシステム１０の作用について説明する。
【００２８】
図４には、本実施形態に係る車室内リフレッシュシステム１０の制御部４８で実行されるリフレッシュプログラム提供処理の流れの一例を示すフローチャートが示されている。リフレッシュプログラム提供処理は、乗員が車両１２に乗車したことが検知されることにより開始されるか、又は表示部２６に表示されるユーザインタフェースを介して乗員がリフレッシュプログラム提供アプリを起動することにより開始される。制御部４８がＲＯＭ５０又はストレージ５４から制御プログラムを読み出して、ＲＡＭ５２に展開して実行することにより、リフレッシュプログラム提供処理が行われる。
【００２９】
ステップＳ１００では、制御部４８は、身体情報読取部としてのカメラ１４を制御して乗員の顔を含む画像を撮影して撮影画像データを取得する。撮影画像データには、肌状態、顔色、表情等の現在の身体情報が含まれている。
【００３０】
ステップＳ１０２では、制御部４８は、乗員の個人認証を行い、認証が成功したか否かを判定する。例えば、ステップＳ１００で取得された撮影画像データを用いて顔認証を実行して乗員を特定する。或いは、乗員が表示部２６に認証情報を入力することにより乗員を特定してもよい。判定が否定判定であった場合、処理はステップＳ１０４に移行して乗員を撮影画像データと共に新規登録し、ステップＳ１０６に移行する。ステップＳ１０２における判定が肯定判定であった場合、処理はステップＳ１０６に移行する。
【００３１】
ステップＳ１０６では、制御部４８は、ステップＳ１００で取得された撮影画像データに含まれる乗員の現在の身体情報を取得する。また、制御部４８は、行動履歴取得部として機能し、乗員が所持する図示しないスマートフォン、ウエアラブル端末等の携帯端末と通信部４４を介して無線通信を行うことによって、乗員の行動履歴を取得する。ここで、取得される乗員の行動履歴は、乗員が訪れた場所（移動ログ）、乗員の歩数、移動距離、上昇階数、消費カロリー、エクササイズ（ワークアウト）時間、過去の心拍数等のデータである。ここで、自車両の図示しないナビゲーション装置から移動経路を行動履歴として取得してもよい。また、乗員の現在の身体情報及び行動履歴は、いずれか一方を取得してもよい。
【００３２】
ステップＳ１０８では、制御部４８は、ステップＳ１０６で取得された乗員の現在の身体情報及び行動履歴の少なくとも一方に基づいて、乗員の現在の状況を推定する。乗員の現在の状況としては、例えば、疲労度、臭いの程度、有害物質の付着の程度、運動不足の程度、メイク直しが必要か否か、肌の乾燥度（水分量）、肌のきめの細かさ、緊張度等が挙げられる。
【００３３】
例えば、行動履歴の移動ログが、乗員が飲食物の臭いがたち込めるお店等（例えば焼肉屋）を訪れたことを示す場合、乗員の衣服や身体に強い臭いが付いている状況にあるものと推定する。
【００３４】
別の例として、携帯端末から取得された歩数、移動距離、上昇階数、消費カロリー、エクササイズ（ワークアウト）時間等のデータが閾値よりも大きい数値を示している場合、疲労度が高い状況や、汗をかいて臭いが付いている状況にあるものと推定する。ここでさらに、例えばカメラ１４により取得された撮影画像データから得られる顔に汗をかいているという身体情報、現在の心拍数が閾値よりも大きい数値を示しているという身体情報、及び直近の時刻にスポーツジムを訪問したという行動履歴を加味することで、運動をした直後である、という現在の状況を総合的に推定してもよい。
【００３５】
また、携帯端末から取得された歩数、移動距離、上昇階数、消費カロリー、エクササイズ（ワークアウト）時間等のデータが所定の期間、閾値よりも小さい数値を示している場合には、乗員の現在の状況は運動不足であると推定する。
【００３６】
また、乗車前に屋外にいた時間が閾値を超える場合には、有害物質が多く付着している状況にあるものと推定する。また、カメラ１４により撮影された乗員の顔の画像からメイク直しの必要性の有無やメイク直しが必要な顔の部位、保湿の必要性の有無や程度、肌のきめの細かさ、疲労度等を推定する。
【００３７】
カメラ１４により撮影された乗員の顔の画像と、携帯端末から取得した行動履歴との双方から、総合的に現在の状況を推定してもよい。また、後述する実行ログデータを参照して、その乗員について過去に取得した身体情報及び行動履歴を取得し、今回取得した身体情報及び行動履歴と比較した結果を現在の状況の推定の際に使用してもよい。
【００３８】
ステップＳ１１０では、  制御部４８は、乗員の置かれている環境を確認する。具体的には、乗員の携帯端末から取得される行動スケジュールや、自車両のナビゲーション装置から取得される道路混雑状況等の交通状況を乗員環境として確認する。
【００３９】
ステップＳ１１２では、制御部４８は、ステップＳ１０８で推定された乗員の現在の状況及びステップＳ１１０で確認された乗員環境に基づいて、現在の状況を改善するリフレッシュプログラムを作成する。具体的には、ステップＳ１１０で確認された乗員環境に基づいて乗車時間を推定し、リフレッシュプログラムの実行に使用可能な時間を推定する。そして、「アロマ加湿プログラム」、「臭い除去プログラム」、「有害物質除去プログラム」、「マッサージプログラム」、「顔マッサージプログラム」、「エクササイズプログラム」、「ヒーリング音楽プログラム」、及び「メイクアドバイスプログラム」のうち、乗員の現在の状況を改善することができるプログラムを少なくとも１つ含むリフレッシュプログラムを作成する。このとき、同時に実施が可能なプログラムは同時に実施し、それ以外のプログラムについては適切な順序にて実施するものとしてプログラムの実施順序及び各プログラムの稼働時間を規定し、推定乗車時間の間に実行可能なリフレッシュプログラムを作成する。
【００４０】
ステップＳ１１２における処理をより詳しく説明すると、制御部４８は、例えば、乗員の現在の状況の推定結果が保湿が必要な状況である場合には、「アロマ加湿プログラム」をリフレッシュプログラムに入れる。また、乗員の現在の状況の推定結果が臭いが付いている状況、又は有害物質が付着している状況である場合、「臭い除去プログラム」又は「有害物質除去プログラム」をリフレッシュプログラムに入れる。また、緊張度や疲労度が高い状況や運動直後の状況にある場合には「マッサージプログラム」及び「ヒーリング音楽プログラム」を、運動不足である場合には「エクササイズプログラム」を、メイク直しが必要な場合には「メイクアドバイスプログラム」及び「顔マッサージプログラム」を、リフレッシュプログラムに入れる。
【００４１】
ステップＳ１１４では、制御部４８は、ステップＳ１１２で作成したリフレッシュプログラムを乗員に提案するために、表示部２６にリフレッシュプログラムの内容を表示する。このとき、乗員がリフレッシュプログラムを実行した場合の効果を人工知能（Ａｒｔｉｆｉｃｉａｌ  Ｉｎｔｅｌｌｉｇｅｎｃｅ、ＡＩ）の技術を用いて予測し、この予測効果とリフレッシュプログラムの所要時間とを表示部２６に表示する。人工知能による予測効果としては、リフレッシュプログラム実行後の肌の乾燥度（水分量）や肌のきめの細かさ、肌の柔軟性、臭い除去率、有害物質除去率、心拍数、メイク直し後の顔画像、及び消費カロリーのうち、提案中のリフレッシュプログラムに含まれているプログラムの効果を表示する。
【００４２】
ステップＳ１１６では、制御部４８は、ステップＳ１１４で提案したリフレッシュプログラムを実行するか否かの乗員の入力を促す表示を表示部２６に表示し、入力を受信する。提案中のリフレッシュプログラムを実行しないという否定の入力を受信した場合、ステップＳ１１２に戻り、新たにリフレッシュプログラムを作成する。このとき、表示部２６を介して希望するプログラムを入力するよう乗員に促し、乗員が希望するプログラムをリフレッシュプログラムに入れるようにしてもよい。リフレッシュプログラムを実行するという肯定の入力を受信した場合、処理はステップＳ１１８に移行する。
【００４３】
ステップＳ１１８では、制御部４８はリフレッシュプログラムを実行する。具体的には、プログラム提供部１６を構成するアロマ加湿装置１８、臭い除去／有害物質除去装置２０、顔マッサージ装置３６を含むマッサージ／エクササイズシート２２、オーディオ２４、及び表示部２６のうち、リフレッシュプログラムの実行に必要な装置を作動させる。このとき、制御部４８はリフレッシュプログラムに規定されたプログラムの順序や各プログラムの稼働時間に従ってプログラム提供部１６の各装置を制御する。
【００４４】
制御部４８は、リフレッシュプログラムが、「アロマ加湿プログラム」及び「マッサージプログラム」を含む場合、アロマ加湿装置１８及びマッサージ／エクササイズシート２２のシートバック３２のマッサージ機能を作動させる。また、別の例として、リフレッシュプログラムが「臭い除去プログラム」及び「エクササイズプログラム」を含む場合、マッサージ／エクササイズシート２２のシートクッション３０のエクササイズ機能を作動させ、それと同時、又はエクササイズプログラム終了後に、臭い除去／有害物質除去装置２０の臭い除去機能を作動させる。また、リフレッシュプログラムが「メイクアドバイスプログラム」、「顔マッサージプログラム」を含む場合、顔マッサージ装置３６を作動させ、それと同時、又はマッサージ終了後に表示部２６を作動させてメイクアドバイスを表示する。リフレッシュプログラムが「ヒーリング音楽プログラム」及び「有害物質除去プログラム」を含む場合、オーディオ２４を作動させてヒーリング音楽を再生すると共に、臭い除去／有害物質除去装置２０の有害物質除去機能を作動させる。リフレッシュプログラムの実行が終了すると、処理はステップＳ１２０に移行する。
【００４５】
ステップＳ１２０では、制御部４８は、リフレッシュプログラムを継続するか否かの乗員の入力を促す表示を表示部２６に表示し、入力を受信する。リフレッシュプログラムを継続するという肯定の入力を受信した場合、ステップＳ１１２に戻り、新たにリフレッシュプログラムを作成する。リフレッシュプログラムを継続しないという否定の入力を受信した場合、処理はステップＳ１２２に移行する。
【００４６】
ステップＳ１２２では、リフレッシュプログラム実行前と実行後の乗員の顔の画像をそれぞれ表示部２６に表示する。
【００４７】
ステップＳ１２４では、実行前の身体情報や行動履歴、実行されたリフレッシュプログラム、実行前及び実行後の顔画像の撮影画像データ等を実行ログデータとしてストレージ５４に保存して、リフレッシュプログラム提供処理を終了する。保存された実行ログデータは、次回以降のリフレッシュプログラム提供処理実行時に乗員の現在の状況の推定やリフレッシュプログラム作成に使用される。
【００４８】
このように、本実施形態では、カメラ１４により読み取られた乗員の現在の身体情報及び制御部４８により取得された行動履歴の少なくとも一方に基づいて乗員の現在の状況が推定され、現在の状況を改善するリフレッシュプログラムが作成される。乗員の現在の状況を把握した上で乗員に適したリフレッシュプログラムを提供することにより、車室内をリフレッシュのための空間として活用し、車室内での時間の有効活用を促進することができる。具体的には、疲労度の緩和、臭い除去、有害物質除去、メイクアドバイス、肌の保湿、マッサージによる血行促進、緊張度の緩和、運動の機会の提供など、美容や運動などの身体のリフレッシュを促進する空間として車室内空間を活用することができる。これにより、車室内での時間の有効活用を促進することができる。
【００４９】
次に、本実施形態の変形例に係る車室内リフレッシュシステム６０について説明する。
【００５０】
図４には、本実施形態に係る車室内リフレッシュシステム６０を搭載した車両６２を車両左側から見た側面図が示されている。この図に示されるように、車両６２は、スタック構造を有する燃料電池（ＦＣ）６４と、給水管６６と、水素ガスが高圧充填される水素タンク６８と、水素タンク６８内の水素ガスを燃料電池６４に供給する水素供給管７０と、を備えている。給水管６６は、燃料電池６４において発電時に生成される水をアロマ加湿装置１８の加湿部１８Ｂの図示しないタンクに供給する。
【００５１】
ところで、アロマ加湿装置１８を車両に搭載した場合、加湿部１８Ｂのタンク内への水の補給は、衛生上の観点からもこまめに行うことが望まれる。しかしながら、使用の都度、乗員が水を補給することは事実上困難である。本変形例に係る車室内リフレッシュシステム６０によれば、車両６２が走行して燃料電池６４において発電されることにより生成される水を給水管６６を通じて加湿部１８Ｂのタンクに必要量のみ供給することができる。したがって、乗員がアロマ加湿装置１８への水の補給を行う必要がない。
【００５２】
なお、上記実施形態では、運転席に着座する乗員（運転者）に対してリフレッシュプログラムを提供するものとしたが、これに限られない。助手席や、後部座席に着座している乗員にプログラムを提供してもよい。この場合、アロマ加湿装置１８の吹き出し口の方向やカメラ１４の方向を可変としてもよいし、後部座席に別途カメラ１４及び表示部２６を設けてもよい。
【００５３】
また、上記実施形態では、乗員の現在の身体情報及び行動履歴の少なくとも一方に基づいて現在の状況を推定し、リフレッシュプログラムを作成するものとしたが、これに限られない。例えば、気温、湿度等の環境データを取得し、これに基づいてリフレッシュプログラムを作成してもよいし、乗員の好みに応じてリフレッシュプログラムを作成してもよい。
【００５４】
また、上記実施形態では、車両１２に搭載される制御装置４２の制御部４８によりリフレッシュプログラム提供処理の全ステップが実行されるものとしたが、これに限られない。例えば、ステップＳ１１４における人工知能による予測等の一部の処理は、外部装置において実行し、実行結果を制御部４８が通信部４４を介して取得するようにしてもよい。
【００５５】
また、実行ログデータとして、リフレッシュプログラム実行前と実行後の乾燥度（水分量）、肌のきめの細かさ、心拍数、及び消費カロリー等を実行されたリフレッシュプログラムの内容等と共に保存し、ステップＳ１１４においてリフレッシュプログラム実行後の効果を予測する人工知能の学習データとして使用してもよい。
【００５６】
また、上記実施形態では、制御プログラムは、ＲＯＭ５０又はストレージ５４に予め記憶されているものとしたが、これに限られない。制御プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、制御プログラム及び実行ログデータは、外部装置に保存され、ネットワーク経由で通信部４４を介して取得されてもよい。
【００５７】
さらに、上記実施形態ではＣＰＵである制御部４８が制御プログラムを読み込んで実行したリフレッシュプログラム提供処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、リフレッシュプログラム提供処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である
【符号の説明】
【００５８】
１０    車室内リフレッシュシステム
１２    車両
１４    カメラ（身体情報読取部）
１６    プログラム提供部
４８    制御部（行動履歴取得部、プログラム作成部）
【図１】
2020029108.tif 000003
【図２】
2020029108.tif 000004
【図３】
2020029108.tif 000005
【図４】
2020029108.tif 000006
【図５】
2020029108.tif 000007